(57)【要約】【課題】  水井戸と、ヒートポンプと、ヒートポンプと接続された機器を備えた建物とを有する新規な住宅システムを提供する。【解決手段】  敷地１内またはその近隣地に設けた水井戸２と、水井戸２からポンプ６によって汲み上げられた水との間で熱交換するヒートポンプ４と、このヒートポンプと接続された機器８を備えた建物３とを有する。そして、ヒートポンプ４への給水経路１２または排水経路１３の少なくとも一方に、これら経路を流れる水の流れにより回転して発電する発電手段１６や、水浄化手段１４を備えている。【選択図】      図１
2006349334.tif 000002
【特許請求の範囲】
【請求項１】
敷地内またはその近隣地に設けた水井戸と、この水井戸からポンプによって汲み上げられた水との間で熱交換するヒートポンプと、このヒートポンプと接続された機器を備えた建物とを有する住宅システム。
【請求項２】
請求項１記載の住宅システムにおいて、
前記ヒートポンプへの給水経路または排水経路の少なくとも一方に、これら経路を流れる水の流れにより回転して発電する発電手段を有し、
前記発電手段で発電された電力を少なくともヒートポンプの駆動電力として用いることを特徴とする住宅システム。
【請求項３】
請求項１記載の住宅システムにおいて、
前記ヒートポンプへの給水経路または排水経路の少なくとも一方に水浄化手段を有し、
前記水浄化手段で浄化された水を、少なくとも前記建物側に設けた水利用機器で利用することを特徴とする住宅システム。
【発明の詳細な説明】
【技術分野】
【０００１】  本発明は、敷地内またはその近隣地に設けた水井戸と、水井戸の水を用いて熱交換するヒートポンプと、ヒートポンプと接続された機器を備えた建物とを有する住宅システムに関する。
【背景技術】
【０００２】  水を熱交換媒体として用いるヒートポンプは知られていて、これらヒートポンプを用いた空調機器、給湯機器、床暖房機器も種々提案されている。特許文献１には、床下に設置された熱交換用配管にボイラ等の加熱装置によって加熱した加熱水を一対の分配用配管を介して通すことによって暖房する床下暖房システムを備えていると共に、分配用配管の途中にそれぞれ切り替え弁を設け、この切り替え弁を介して井戸水、河川水等の天然冷却水を熱交換用配管に導入可能とした住宅の快適化システムが提案されている。【０００３】
【特許文献１】特開２０００−１２１１２０号公報
【発明の開示】
【発明が解決しようとする課題】
【０００４】  従来、住宅の敷地内や隣地に飲料用を目的とした井戸が掘られることはあり、ヒートポンプの熱交換媒体として井戸水を用いることはあったが、井戸水とヒートポンプ及び住宅をトータル的にコーディネートするものはなかった。
本発明は、水井戸と、ヒートポンプと、ヒートポンプと接続された機器を備えた建物とを有する新規な住宅システムを提供することを、その目的とする。
【課題を解決するための手段】
【０００５】  上記目的を達成するため、本発明にかかる住宅システムは、敷地内またはその近隣地に設けた水井戸と、この水井戸からポンプによって汲み上げられた水との間で熱交換するヒートポンプと、このヒートポンプと接続された機器を備えた建物とを有することを特徴としている。
本発明に係る住宅システムにおいて、ヒートポンプへの給水経路または排水経路の少なくとも一方に、これら経路を流れる水の流れにより回転して発電する発電手段を有し、この発電手段で発電された電力を少なくともヒートポンプの駆動電力として用いることを特徴としている。
本発明に係る住宅システムにおいて、ヒートポンプへの給水経路または排水経路の少なくとも一方に水浄化手段を有し、水浄化手段で浄化された水を、少なくとも建物側に設けた水利用機器で利用することを特徴としている。
【発明の効果】
【０００６】  本発明によれば、敷地内またはその近隣地に設けた水井戸と、この水井戸からポンプによって汲み上げられた水との間で熱交換するヒートポンプと、このヒートポンプと接続された機器を備えた建物とを有するので、井戸水の量、ヒートポンプの性能、住宅性能を相互に考えて各機能を設定できるようになり、新規な住宅システムを提供することができる。【０００７】  本発明によれば、ヒートポンプへの給水経路または排水経路の少なくとも一方に設けた、発電手段で発電された電力を少なくともヒートポンプの駆動電力として用いるので、ヒートポンプで使用する商用電源からの電力消費量を低減することがでは、省エネ住宅となる。【０００８】  本発明によれば、ヒートポンプへの給水経路または排水経路の少なくとも一方に設けた水浄化手段で浄化された水を、少なくとも建物側に設けた水利用機器で利用するので、建物で使用する一般水道から供給される水の消費量を低減することができる。
【発明を実施するための最良の形態】
【０００９】  以下、本発明の実施の形態について図面を用いて説明する。図１において、符号１は敷地を示す。この敷地１内には水井戸２と建物３及び水井戸２の水を利用するヒートポンプ４が設けられている。本形態において、水井戸２は、敷地１内を掘削して設けたものとするが、自噴しているものを整備して利用してもよい。また、水井戸２の設置場所としては、建物３を建築する敷地１内に限定されるものではなく、共有敷地などの隣地に設けてもよい。【００１０】  建物３には、上下水道が完備されていて、生活用水は基本的に上水道で賄えて、建物３内で排水は図示しない下水道管に排水できるように構成されている。建物３には一般商用電力が供給されていて、生活電力は基本的には全て一般商用電力で賄えるようになっている。【００１１】  水井戸２には、水面内に届くように導水管５が挿入されている。導水管５の一端５ａ側には、汲上用のホンプ６が装着されていて、後述する電源から電量供給を受けることで駆動して井戸水を汲み上げるように構成されている。本形態において、ポンプ６は水井戸２内に落とし込んで使用する水中ポンプを用いるが、地上側に位置する導水管５の他端５ｂに水中ポンプ以外のポンプを設けて井戸水を汲み上げる形態であってもよい。【００１２】  本形態におけるヒートポンプ４は、建物３内に設置される空調機器８と流路９で接続された室外機である。ヒートポンプ４は、流路９を介して室内機器８との間で熱交換媒体を循環させるもので、図示しないコンプレッサ、膨張弁、四方弁、アキュムレータ及び熱交換機１０等を備えている。これら各構成要素は、流路９内を循環する熱交換媒体の熱交換を行い、冷房と暖房を行う冷凍サイクルの構成要素である。熱交換媒体は、最適な性能を得られる量が流路９内に封入されている。【００１３】  熱交換機１０には導水管５の他端５ｂが接続されていて、井戸水を熱交換機１０内に導入し、流路９内を流れる熱交換媒体と熱交換するように構成されている。熱交換機１０内に導入された井戸水は、熱交換機１０に接続された配水管１１を介して排出される。配水管１１の終端は、例えば敷地内に還元井戸を設ける場合には、この還元井戸に挿入し、汲み上げた井戸水を還元するようにしてもよい。あるいは下水道に直接排水できるのであれば配水管と接続すればよい。本形態においては、導水管５に設けたポンプ６からヒートポンプ４の入口までの間が給水経路１２を構成し、配水管１１以降が排水経路１３を構成している。【００１４】  給水経路１２には、水浄化手段となる浄水装置１４が設置されていて、井戸水を飲料可能としている。この浄水装置１４は、建物側に設けた水利用機器となる台所や洗面台に設けた蛇口１５と接続しても良いし、給湯タンクを有する場合には給湯タンクと接続していもよい。敷地１内にプールや池などを備える場合には、これらに対する給水口と接続していも良い。あるいは敷地１内に蛇口を設け、この蛇口と接続して散水用、災害時の飲料水用に井戸水を利用可能としてもよい。このように構成することで、上水道から供給される水の使用量を低減することが出来る。なお、本形態では、井戸水の水質を考慮して浄化装置１４を給水経路１２に設けたが、井戸水そのものが所定の基準をクリアして飲料用として使用できる場合には設けなくてもよい。【００１５】  排水経路１３には、この経路を流れる排水の流れによりロータ部が回転して発電する発電手段としての水力発電機１６を備えている。水力発電機１６は充電機器１７と接続されていて、水力発電機１６で発電された電力を充電機器１７に充電可能とされている。充電機器１７は、アイソレーターやパワーモジュール等の周知の変換手段１８の入力側に接続されている。この変換手段１８の入力側には一般商用電源が接続されている。変換手段１８の出力側には、空調機器８やヒートポンプ４などの電気機器が接続さてれている。変換手段１８は、充電機器１７の充電量が使用電力に対応可能な電力が充填されている場合には、充電機器１７に充電された電力を使用し、充電機器の電力が不足すると、一般商用電力を使用するように構成されている。このような構成により、ヒートポンプ４や空調機器８で使用する一般商用電源からの電力消費量を低減することがでは、省エネ住宅となる。【００１６】  変換手段１８の出力側に接続される電気機器としては、ヒートポンプ４や空調機器８などの比較的費用電力が大きいものではなく、敷地１内に設けた外灯や建物３内の照明などの使用頻度や消費電力の低い機器を接続してもよい。【００１７】  このように、井戸水、井戸水を利用するヒートポンプ４、建物３を最初から備えた住宅システムとすると、井戸水の使用量、ヒートポンプの性能、住宅性能を相互に考えて各機能を設定できるようになる。
【図面の簡単な説明】
【００１８】
【図１】  本発明の一実施形態に係る住宅システムの概略構成を示す平面図である。
【図２】  本発明の一実施形態に係る住宅システムの概略構成を示す側面図である。
【符号の説明】
【００１８】  １    敷地
２    水井戸
３    建物
４    ヒートポンプ
６    ポンプ
８    機器
１２    給水経路
１３    排水経路
１４    水浄化手段
１５    水利用機器
１６    発電手段
【図１】
2006349334.tif 000003
【図２】
2006349334.tif 000004